(57)【要約】    【課題】光ファイバーを保護チューブ内にスムーズに挿入することができ、光ファイバーの破損による損失をなくすことのできる、光ファイバーの保護チューブへの挿入装置を提供する。    【解決手段】同心的に保護チューブ３を保持し得る円柱状の保護チューブホルダ１と、保護チューブホルダ１を回転させる駆動手段４と、光ファイバー５を挟持して回転することにより光ファイバー５を回転中の保護チューブ３内に送り込む一対の送りローラー８,９とを備えている。【選択図】図１
2006220696.tif 000002
【特許請求の範囲】
【請求項１】
同心的に保護チューブを保持し得る円柱状の保護チューブホルダと、該保護チューブホルダを回転させる駆動手段と、光ファイバーを挟持して回転することにより該光ファイバーを回転中の前記保護チューブ内に送り込む一対の送りローラーとを備えた光ファイバーの保護チューブへの挿入装置。
【請求項２】
前記送りローラーの一方の端面に接触して駆動軸に取り付けられた摩擦板と、該摩擦板に対して前記送りローラーを所定の力で弾圧するスプリングとを更に備え、前記保護チューブ内に挿入中の光ファイバーに座屈力がかかったとき、前記送りローラーの回転が停止して前記摩擦板と前記駆動軸が空転するようになっている請求項１に記載の光ファイバーの保護チューブへの挿入装置。
【請求項３】
前記駆動手段は、前記保護チューブホルダを上に載せて回転可能の一対のローラーを含んでいる請求項１または２に記載の光ファイバーの保護チューブへの挿入装置。
【発明の詳細な説明】
【技術分野】
【０００１】
本発明は、光通信に用いられる光ファイバーの外周を傷や汚れから守り、曲げによる破損を防止するために、保護チューブ内に光ファイバーを挿入することを目的とする装置に関する。
【背景技術】
【０００２】
通信用の光ファイバーは屈曲性に乏しく、また外周の傷や汚れが光ファイバーの性能を落とすことから、外周を長さ１ｍ程度のプラスチックのチューブによって保護している。通常、この保護チューブ内に光ファイバーを挿入する作業は、手作業で行うか、固定された保護チューブに対し光ファイバーを２つの回転する搬送ローラー間に挟んで送り込む方法が採られていた。また、流体の引きずり力を用いてケーブルをチューブ内に挿入する方法もあるが、双方のクリアランスの点から、その方法の転用は不可能である（例えば、特許文献１参照）。
【特許文献１】特許第３１３８７７１号明細書
【発明の開示】
【発明が解決しようとする課題】
【０００３】
しかしながら、上記従来の方法では、光ファイバーの外径と保護チューブの内径との寸法のバラツキ、湿度による抵抗、保護チューブの曲がり等が原因で、光ファイバーが保護チューブの途中で止まってしまい、チューブを交換したり、無理に押し込もうとして、保護チューブの入り口部分で光ファイバーが座屈して破損し、多量の損失を発生させるという問題があった。
【０００４】
したがって、本発明は、従来装置の有する上記の問題点に鑑みてなされたものであり、その目的は、光ファイバーを保護チューブ内にスムーズに挿入することができて、光ファイバーの破損による損失をなくすことのできる、この種挿入装置を提供することにある。
【課題を解決するための手段】
【０００５】
上記目的を達成するため、本発明による光ファイバーを保護チューブに挿入する装置は、同心的に保護チューブを保持し得る円柱状の保護チューブホルダと、該保護チューブホルダを回転させる駆動手段と、光ファイバーを挟持して回転することにより該光ファイバーを回転中の前記保護チューブ内に送り込む一対の送りローラーとを備えている。
【０００６】
また、本発明による光ファイバーを保護チューブに挿入する装置は、前記送りローラーの一方の端面に接触して駆動軸に取り付けられた摩擦板と、該摩擦板に対して前記送りローラーを所定の力で弾圧するスプリングとを更に備え、前記保護チューブ内に挿入中の光ファイバーに座屈力がかかったとき、前記送りローラーの回転が停止して前記摩擦板と前記駆動軸が空転するようになっている。
【０００７】
本発明によれば、前記駆動手段は、前記保護チューブホルダを上に載せて回転可能の一対のローラーを含んでいる。
【発明の効果】
【０００８】
本発明にかかる光ファイバーの保護チューブへの挿入装置によれば、迅速に作業を行うことができるとともに、光ファイバーの破損による損失を確実に防止しすることができる。
【発明を実施するための最良の形態】
【０００９】
以下、本発明の実施の形態を図示した実施例に基き説明する。
図１は本発明装置の一実施例の平面図、図２は図１の正面図、図３は光ファイバー挿入部の正面図、図４は保護チューブ回転部の正面図、図５は保護チューブ内への光ファイバーの挿入状態を示す斜視図である。
【００１０】
図中、１は内部に設けられたクランプ２によって保護チューブ３を同心的に保持し得る円柱状の保護チューブホルダ、４，４は保護チューブホルダ１を上に載せて回転させるため図示されていないモーターによって同一方向に回転される一対の回転ローラー、５は保護チューブ３に挿入される光ファイバー、６は図示されていないモーターによって回転される駆動軸、８はベアリング７を介して駆動軸６上に取り付けられた搬送ローラー、９は搬送ローラー８に対向配置されて搬送ローラー８との間に光ファイバー５を挟み得るピンチローラー、１０は駆動軸６に取り付けられていて搬送ローラー８の端面に接触する摩擦板、１１は搬送ローラー６の端面を摩擦板１０に押圧する押さえスプリング、１２は回転ローラー４，４にそれぞれ取り付けられたタイミングプーリー１３,１３に共通に掛けられたタイミングベルトである。このタイミングベルト１２は、図示されていない駆動モーターの主軸に取り付けられた駆動プーリーにも掛けられている。１４はピンチローラー９を搬送ローラー８に向けて弾圧するスプリングである。
【００１１】
保護チューブホルダ１即ち回転ローラー４，４と搬送ローラー８とは、所定のタイミングで起動及び停止するように構成されている。また、押さえスプリング１１は、保護チューブ３内に挿入中の光ファイバー５に座屈力がかかったとき、即ち、保護チューブ３と光ファイバー５の摩擦によって送りに抵抗が発生した場合は、搬送ローラー８が停止して駆動軸６と摩擦板１０が空転するように、ばね定数が選定されている。
【００１２】
以上のように構成されている本発明装置は、次のように作動する。
保護チューブ３を保護チューブホルダ１内のクランプ２によって固定し、回転ローラー４上にセットする。次に、光ファイバー５の先端を保護チューブ３に差し込み、搬送ローラー８とピンチローラー９の間に挟みこむ。続いて図示しないスイッチによって装置をスタートさせると、２本の回転ローラー４が同方向に廻り、保護チューブホルダ１を介して保護チューブ３が回転させられる。同時に駆動軸６が回転をはじめ、摩擦板１０を介して搬送ローラー８をまわし、ピンチローラー９とともに光ファイバー５を保護チューブ３内に送り込む。この方法によって、光ファイバー５は推力と回転力の合成によってスムーズに保護チューブ３内を通過するようになる。また保護チューブ３の不良品があった場合は光ファイバー５に抵抗がかかり、搬送ローラー８と摩擦板１０との間で滑りが発生し、光ファイバー５の破損を防止する。
【図面の簡単な説明】
【００１３】
【図１】本発明装置の一実施例の平面図である。
【図２】図１の正面図である。
【図３】光ファイバー挿入部の正面図である。
【図４】保護チューブ回転部の正面図である。
【図５】保護チューブ内への光ファイバーの挿入状態を示す斜視図である。
【符号の説明】
【００１４】
１                    保護チューブホルダ
２                    クランプ
３                    保護チューブ
４                    回転ローラー
５                    光ファイバー
６                    駆動軸
７                    ベアリング
８                    搬送ローラー
９                    ピンチローラー
１０                  摩擦板
１１                  押さえスプリング
１２                  タイミングベルト
１３                  タイミングプーリー
１４                  スプリング
【図１】
2006220696.tif 000003
【図２】
2006220696.tif 000004
【図３】
2006220696.tif 000005
【図４】
2006220696.tif 000006
【図５】
2006220696.tif 000007